【手続補正書】
【提出日】平成17年8月30日(2005.8.30)
【手続補正１】
【補正対象書類名】明細書
【補正対象項目名】請求項１
【補正方法】変更
【補正の内容】
【請求項１】
第１の配線と、
上記第１の配線に対し交差するように配置された第２の配線と、
上記第１の配線と上記第２の配線とが交差する領域に配置され、流れる電流の値に応じた発光を行う電気光学素子と、
上記第１の配線に接続され、上記電気光学素子に流す電流の値を制御する電圧が印加される制御端子を有する、第１のアクティブ素子と、
上記第１のアクティブ素子の制御端子への印加電圧を、上記印加電圧に応じた電荷を保持することにより保持する電荷保持手段と、
上記電気光学素子および上記第１のアクティブ素子と直列に接続され、上記第２の配線に接続されたスイッチング状態を制御するための制御端子を有する、第２のアクティブ素子と、
上記電荷保持手段に対する電荷供給経路上に挿入され、スイッチング状態を制御するための制御端子を有する、第３のアクティブ素子と、
上記第３のアクティブ素子の制御端子に接続された第３の配線と、
を備えていることを特徴とする表示装置。
【手続補正２】
【補正対象書類名】明細書
【補正対象項目名】請求項２
【補正方法】変更
【補正の内容】
【請求項２】
第１の配線と、
上記第１の配線に対し交差するように配置された第２の配線と、
上記第１の配線と上記第２の配線とが交差する領域に配置され、流れる電流の値に応じた発光を行う電気光学素子と、
上記第１の配線に接続され、上記電気光学素子に流す電流の値を制御する電圧が印加される制御端子を有する、第１のアクティブ素子と、
上記第１のアクティブ素子の制御端子への印加電圧を、上記印加電圧に応じた電荷を保持することにより保持する電荷保持手段と、
上記電気光学素子および上記第１のアクティブ素子と直列に接続され、上記第２の配線に接続されたスイッチング状態を制御するための制御端子を有する、第２のアクティブ素子と、
上記電荷保持手段に対する電荷供給経路上に挿入され、スイッチング状態を制御するための制御端子を有する、第３のアクティブ素子と、
上記第３のアクティブ素子の制御端子に接続された第３の配線と、
上記第１のアクティブ素子と上記第２のアクティブ素子との接続点と上記第２の配線との間に接続され、上記第３の配線に接続されたスイッチング状態を制御するための制御端子を有する、第４のアクティブ素子と、
を備えていることを特徴とする表示装置。
【手続補正３】
【補正対象書類名】明細書
【補正対象項目名】００２５
【補正方法】変更
【補正の内容】
【００２５】
【課題を解決するための手段】
本発明の表示装置は、上記課題を解決するために、第１の配線と、上記第１の配線に対し交差するように配置された第２の配線と、上記第１の配線と上記第２の配線とが交差する領域に配置され、流れる電流の値に応じた発光を行う電気光学素子と、上記第１の配線に接続され、上記電気光学素子に流す電流の値を制御する電圧が印加される制御端子を有する、第１のアクティブ素子と、上記第１のアクティブ素子の制御端子への印加電圧を、上記印加電圧に応じた電荷を保持することにより保持する電荷保持手段と、上記電気光学素子および上記第１のアクティブ素子と直列に接続され、上記第２の配線に接続されたスイッチング状態を制御するための制御端子を有する、第２のアクティブ素子と、上記電荷保持手段に対する電荷供給経路上に挿入され、スイッチング状態を制御するための制御端子を有する、第３のアクティブ素子と、上記第３のアクティブ素子の制御端子に接続された第３の配線と、を備えていることを特徴としている。
【手続補正４】
【補正対象書類名】明細書
【補正対象項目名】００３０
【補正方法】変更
【補正の内容】
【００３０】
また、本発明の表示装置は、上記課題を解決するために、第１の配線と、上記第１の配線に対し交差するように配置された第２の配線と、上記第１の配線と上記第２の配線とが交差する領域に配置され、流れる電流の値に応じた発光を行う電気光学素子と、上記第１の配線に接続され、上記電気光学素子に流す電流の値を制御する電圧が印加される制御端子を有する、第１のアクティブ素子と、上記第１のアクティブ素子の制御端子への印加電圧を、上記印加電圧に応じた電荷を保持することにより保持する電荷保持手段と、上記電気光学素子および上記第１のアクティブ素子と直列に接続され、上記第２の配線に接続されたスイッチング状態を制御するための制御端子を有する、第２のアクティブ素子と、上記電荷保持手段に対する電荷供給経路上に挿入され、スイッチング状態を制御するための制御端子を有する、第３のアクティブ素子と、上記第３のアクティブ素子の制御端子に接続された第３の配線と、上記第１のアクティブ素子と上記第２のアクティブ素子との接続点と上記第２の配線との間に接続され、上記第３の配線に接続されたスイッチング状態を制御するための制御端子を有する、第４のアクティブ素子と、を備えていることを特徴としている。
【手続補正５】
【補正対象書類名】明細書
【補正対象項目名】０１８８
【補正方法】変更
【補正の内容】
【０１８８】
【発明の効果】
本発明の表示装置は、以上のように、第１の配線と、上記第１の配線に対し交差するように配置された第２の配線と、上記第１の配線と上記第２の配線とが交差する領域に配置され、流れる電流の値に応じた発光を行う電気光学素子と、上記第１の配線に接続され、上記電気光学素子に流す電流の値を制御する電圧が印加される制御端子を有する、第１のアクティブ素子と、上記第１のアクティブ素子の制御端子への印加電圧を、上記印加電圧に応じた電荷を保持することにより保持する電荷保持手段と、上記電気光学素子および上記第１のアクティブ素子と直列に接続され、上記第２の配線に接続されたスイッチング状態を制御するための制御端子を有する、第２のアクティブ素子と、上記電荷保持手段に対する電荷供給経路上に挿入され、スイッチング状態を制御するための制御端子を有する、第３のアクティブ素子と、上記第３のアクティブ素子の制御端子に接続された第３の配線と、を備えている構成である。
【手続補正６】
【補正対象書類名】明細書
【補正対象項目名】０１９１
【補正方法】変更
【補正の内容】
【０１９１】
また、本発明の表示装置は、以上のように、第１の配線と、上記第１の配線に対し交差するように配置された第２の配線と、上記第１の配線と上記第２の配線とが交差する領域に配置され、流れる電流の値に応じた発光を行う電気光学素子と、上記第１の配線に接続され、上記電気光学素子に流す電流の値を制御する電圧が印加される制御端子を有する、第１のアクティブ素子と、上記第１のアクティブ素子の制御端子への印加電圧を、上記印加電圧に応じた電荷を保持することにより保持する電荷保持手段と、上記電気光学素子および上記第１のアクティブ素子と直列に接続され、上記第２の配線に接続されたスイッチング状態を制御するための制御端子を有する、第２のアクティブ素子と、上記電荷保持手段に対する電荷供給経路上に挿入され、スイッチング状態を制御するための制御端子を有する、第３のアクティブ素子と、上記第３のアクティブ素子の制御端子に接続された第３の配線と、上記第１のアクティブ素子と上記第２のアクティブ素子との接続点と上記第２の配線との間に接続され、上記第３の配線に接続されたスイッチング状態を制御するための制御端子を有する、第４のアクティブ素子と、を備えている構成である。